(57)【要約】【課題】  文章の長さが、限られた時間内でリスニング学習を終了できる長さとなる様に、リスニング学習用の文章リストを編集できる語学学習用電子機器および学習用文章リスト作成方法を提供すること。【解決手段】  文字情報を表示する表示手段と、前記表示手段に表示されている前記文字情報について音声再生して出力する音声出力手段と、所定の入力情報が入力された場合に、前記音声出力手段による前記文字情報の音声再生時間を計算する演算手段と、前記演算手段により計算された文字情報の音声再生時間と該文字情報と該文字情報の音声データとを一組のデータとして記録する記憶手段と、前記記憶手段に記憶された各組のデータを選択する選択手段と、前記選択手段により選択された各組のデータに含まれる前記音声再生時間を積算する時間積算手段とを備える。【選択図】  図２
2007219219.tif 000002
【特許請求の範囲】
【請求項１】
文字情報を表示する表示手段と、
前記表示手段に表示されている前記文字情報について音声再生して出力する音声出力手段と、
所定の入力情報が入力された場合に、前記音声出力手段による前記文字情報の音声再生時間を計算する演算手段と、
前記演算手段により計算された文字情報の音声再生時間と該文字情報と該文字情報の音声データとを一組のデータとして記録する記憶手段と、
前記記憶手段に記憶された各組のデータを選択する選択手段と、
前記選択手段により選択された各組のデータに含まれる前記音声再生時間を積算する時間積算手段と
を備える語学学習用電子機器。
【請求項２】
請求項１に記載の語学学習用電子機器において、前記時間積算手段により積算された時間と所定値とを比較して、前記積算された時間が前記所定値で示される時間内に収まるか否かを判定する判定手段を更に備えたことを特徴とする語学学習用電子機器。
【請求項３】
請求項１または２の何れか１項に記載の語学学習用電子機器において、前記記憶手段が、前記文字情報及び音声データの再生状態を制御するための制御データを更に記録することを特徴とする語学学習用電子機器。
【請求項４】
請求項１ないし３の何れか１項に記載の語学学習用電子機器において、前記積算手段が、前記音声再生時間をカウントするカウンタを備えたことを特徴とする語学学習用電子機器。
【請求項５】
請求項１ないし４の何れか１項に記載の語学学習用電子機器において、前記記憶手段が、前記音声データに代えて、前記音声データの所在を表すアドレスポインタを記録することを特徴とする語学学習用電子機器。
【請求項６】
請求項１ないし５の何れか１項に記載の語学学習用電子機器において、前記所定の入力情報が、所定のキー操作により入力されるものであることを特徴とする語学学習用電子機器。
【請求項７】
コンピュータに、
文字情報を表示手段に表示する第一手順と、
前記表示手段に表示されている前記文字情報について音声出力手段に音声再生させて出力する第二手順と、
前記所定の入力情報が入力された場合に、前記音声出力手段による前記文字情報の音声再生時間を前記演算手段に計算させる第三手順と、
前記演算手段により計算された文字情報の音声再生時間と該文字情報と該文字情報の音声データとを一組のデータとして記憶手段に記録する第四手順と、
前記記憶手段に記憶された各組のデータを選択手段に選択させる第五手順と、
前記選択手段により選択された各組のデータに含まれる前記音声再生時間を時間積算手段に積算させる第六手順と
を実行させるためのプログラム。
【請求項８】
請求項７に記載のプログラムにおいて、前記時間積算手段により積算された時間と所定値とを比較して、前記積算された時間が前記所定値で示される時間内に収まるか否かを判定する第七手順を更に備えたことを特徴とするプログラム。
【請求項９】
請求項７または８の何れか１項に記載のプログラムにおいて、前記記憶手段が、前記音声出力手段による前記文字情報の再生状態を制御するための制御データを更に記録することを特徴とするプログラム。
【請求項１０】
請求項７ないし９の何れか１項に記載のプログラムにおいて、前記積算手段が、前記音声再生時間をカウントするカウンタを備えたことを特徴とするプログラム。
【請求項１１】
請求項７ないし１０の何れか１項に記載のプログラムにおいて、前記記憶手段は、前記音声データに代えて、前記音声データの所在を表すアドレスポインタを記録することを特徴とするプログラム。
【請求項１２】
請求項７ないし１１の何れか１項に記載のプログラムにおいて、前記所定の入力情報が、所定のキー操作により入力されるものであることを特徴とするプログラム。
【請求項１３】
文章の音声再生処理と並行して所定の入力情報を待つステップと、
前記文章の音声再生時間を計算し、該音声再生時間を前記文章と該文章の音声データと制御データと共に記憶するステップと、
前記文章と前記音声再生時間の履歴を読み出して表示するステップと、
前記履歴中から前記文章と前記音声再生時間との組を選択するステップと、
選択された前記組に含まれる前記音声再生時間を積算するステップと、
前記積算された時間と所定値とを比較し、前記積算された時間が前記所定値で示される時間内に収まるか否かを判定するステップと
を有する学習用文章リスト作成方法。
【請求項１４】
請求項１３に記載の学習用文章リスト作成方法において、前記所定の入力情報が所定のキー操作により入力されたものであることを特徴とする学習用文章リスト作成方法。
【発明の詳細な説明】
【技術分野】
【０００１】
本発明は、語学学習用の電子機器および学習用文章リスト作成方法に関するものである。
【背景技術】
【０００２】
従来、外国語等のリスニング学習機能を備えた携帯用の語学学習用電子機器が知られている。また、英和辞典や和英辞典などの電子辞書に格納された例文を用いて、英単語や英文の学習用問題を作成する機能を持つ学習アプリケーションソフトも使用されている。
これに関連する従来技術として、特許文献１には、利用者の辞書引きの回数などを記憶して単語帳ファイルや文章リストを作成し、出題の優先順序を適切に制御して、効率の高い学習用問題を作成できる技術が開示されている。
【特許文献１】特開２００３−４３９０５号公報
【発明の開示】
【発明が解決しようとする課題】
【０００３】
しかしながら、上述の従来技術によれば、複数の単語や文章を選択してリスニング学習用の文章リストを作成した場合に、リスニングする文章の再生時間に関する情報がないため、文章リストに登録された全ての文章を再生するために必要な時間を知ることができないという問題がある。そのため、例えば通勤時間等の限られた時間内で文章リストに登録された全ての文章を聞くことができない場合があり、計画的に学習することが困難であった。また、文章の再生スピードが標準的なスピードと比較して速いのか遅いのかを判断することもできなかった。
【０００４】
本発明は上記事情を考慮してなされたもので、その目的は、リスニング学習において再生される文章の量が、限られた時間内でリスニング学習を終了できる量となる様に、リスニング学習用の文章リストを編集することができる語学学習用電子機器および学習用文章リスト作成方法を提供することである。
【課題を解決するための手段】
【０００５】
本発明は上記の課題を解決するためになされたもので、文字情報を表示する表示手段と、前記表示手段に表示されている前記文字情報について音声再生して出力する音声出力手段と、所定の入力情報が入力された場合に、前記音声出力手段による前記文字情報の音声再生時間を計算する演算手段と、前記演算手段により計算された文字情報の音声再生時間と該文字情報と該文字情報の音声データとを一組のデータとして記録する記憶手段と、前記記憶手段に記憶された各組のデータを選択する選択手段と、前記選択手段により選択された各組のデータに含まれる前記音声再生時間を積算する時間積算手段とを備える。
【０００６】
また、上記語学学習用電子機器において、前記時間積算手段により積算された時間と所定値とを比較して、前記積算された時間が前記所定値で示される時間内に収まるか否かを判定する判定手段を更に備えたことを特徴とする。
【０００７】
また、上記語学学習用電子機器において、前記記憶手段が、前記文字情報及び音声データの再生状態を制御するための制御データを更に記録することを特徴とする。
【０００８】
また、上記語学学習用電子機器において、前記積算手段が、前記音声再生時間をカウントするカウンタを備えたことを特徴とする。
【０００９】
また、上記語学学習用電子機器において、前記記憶手段が、前記音声データに代えて、前記音声データの所在を表すアドレスポインタを記録することを特徴とする。
【００１０】
また、上記語学学習用電子機器において、前記所定の入力情報が、所定のキー操作により入力されるものであることを特徴とする。
【００１１】
また、本発明に係るプログラムは、コンピュータに、文字情報を表示手段に表示する第一手順と、前記表示手段に表示されている前記文字情報について音声出力手段に音声再生させて出力する第二手順と、前記所定の入力情報が入力された場合に、前記音声出力手段による前記文字情報の音声再生時間を前記演算手段に計算させる第三手順と、前記演算手段により計算された文字情報の音声再生時間と該文字情報と該文字情報の音声データとを一組のデータとして記憶手段に記録する第四手順と、前記記憶手段に記憶された各組のデータを選択手段に選択させる第五手順と、前記選択手段により選択された各組のデータに含まれる前記音声再生時間を時間積算手段に積算させる第六手順とを実行させることを特徴とする。
【００１２】
また、上記プログラムにおいて、前記時間積算手段により積算された時間と所定値とを比較して、前記積算された時間が前記所定値で示される時間内に収まるか否かを判定する第七手順を更に備えたことを特徴とする。
【００１３】
また、上記プログラムにおいて、前記記憶手段が、前記音声出力手段による前記文字情報の再生状態を制御するための制御データを更に記録することを特徴とする。
【００１４】
また、上記プログラムにおいて、前記積算手段が、前記音声再生時間をカウントするカウンタを備えたことを特徴とする。
【００１５】
また、上記プログラムにおいて、前記記憶手段は、前記音声データに代えて、前記音声データの所在を表すアドレスポインタを記録することを特徴とする。
【００１６】
また、上記プログラムにおいて、前記所定の入力情報が、所定のキー操作により入力されるものであることを特徴とする。
【００１７】
また、本発明に係る学習用文章リスト作成方法は、文章の音声再生処理と並行して所定の入力情報を待つステップと、前記文章の音声再生時間を計算し、該音声再生時間を前記文章と該文章の音声データと制御データと共に記憶するステップと、前記文章と前記音声再生時間の履歴を読み出して表示するステップと、前記履歴中から前記文章と前記音声再生時間との組を選択するステップと、選択された前記組に含まれる前記音声再生時間を積算するステップと、前記積算された時間と所定値とを比較し、前記積算された時間が前記所定値で示される時間内に収まるか否かを判定するステップとを有する。
【００１８】
また、上記学習用文章リスト作成方法において、前記所定の入力情報が所定のキー操作により入力されたものであることを特徴とする。
【発明の効果】
【００１９】
本発明によれば、単語や文章の音声再生時間を記録することにより、リスニング学習における文章の量が、限られた時間内でリスニング学習を終了できる量となる様に、学習用文章リストを編集することができる語学学習用電子機器を提供可能である。
また、音声再生学習中に外部入力キーを押すことにより、そのときの学習環境が学習用文章リストに登録されるために、学習用文章リストを容易に作成することができる。
【発明を実施するための最良の形態】
【００２０】
以下、図面を参照して本発明の一実施形態について説明する。
図１は、本実施形態に係る語学学習用電子機器の概略構成を示すブロック図である。本語学学習用電子機器は、入力手段１１と、ＣＰＵ（制御手段）１２と、表示手段１３と、通信手段１４と、ＲＯＭ（リードオンリーメモリ）１５と、ＲＡＭ（ランダムアクセスメモリ）１６と、辞書データベース（単語記憶手段）１７と、音声出力手段１８とを有して構成され、これらはバスを介して相互に接続されている。
【００２１】
図２は、本実施形態に係る語学学習用電子機器の外観構成の一例を示す平面図である。入力手段１１は、押しボタン式のキーとして、切り替えキー１１ａ、前移動キー１１ｂ、後移動キー１１ｃ、戻りキー１１ｄ、位置指定キー１１ｅ、音声再生キー１１ｆ、書き込みキー１１ｇ及び編集キー１１ｈを備えている。また、表示手段１３の表示画面がタッチパネルとして機能し、入力手段１１の一部として機能する。すなわち、入力手段１１は、タッチパネル式のキーとして、英和キー１１ｊなどを備えている。これらのタッチパネル式のキーは、表示手段１３の表示画面に表示された所定のアイコンをスタイラスペンの先端などで押さえる（タップする）ことで、そのアイコンに応じた信号（命令）を入力できる。なお、上記の各種キーを操作することにより、表示手段１３にキーボードなどのアイコンを表示でき、そのアイコンをタップすることで和文字、英文字、数字及び記号などを入力することもできる。
【００２２】
切り替えキー１１ａは、表示手段１３の表示内容を切り替えるキーである。例えば、表示手段１３に英文が表示されているときに切り替えキー１１ａを押すと、表示手段１３はその英文に対応する和文を表示する。また表示手段１３に和文が表示されているときに切り替えキー１１ａを押すと、表示手段１３はその和文に対応する英文を表示する。
【００２３】
前移動キー１１ｂは、表示手段１３に表示させる項目（英文など）が複数ある場合に、現在の表示項目から順位が前の表示項目に表示を移動させるキーである。後移動キー１１ｃは、表示手段１３に表示させる項目が多数ある場合に、現在の表示項目から順位が後の表示項目に表示を移動させるキーである。戻りキー１１ｄは、例えば音声出力している途中で本キーが押されることにより、その音声出力の内容を始めから出力しなおすものである。位置指定キー１１ｅは、例えば表示手段１３に表示させる画像が表示手段１３の表示領域よりも大きい場合に、表示手段１３の表示領域に表示させる部分を指定するキーである。すなわち、位置指定キー１１ｅによりスクロールなどができる。音声再生キー１１ｆは、例えば表示手段１３に表示されている単語又は文章の内容を音声として出力させるキーである。表示手段１３に英語の文章が表示されている場合、いわゆるネイティブな英語発音をさせることを、音声再生キー１１ｆの操作で行える。
【００２４】
書き込みキー１１ｇは、文章を音声再生している途中、または音声再生終了後に押されることにより、押された時点で音声再生している文章、または直前に音声再生終了した文章と、その文章の音声再生時間と、その文章の音声データと、制御データとを学習用文章リストに記憶するキーである。
編集キー１１ｈは、利用者が作成する学習用文章リストの編集動作を開始するためのキーである。
各キーは、表示手段１３をタッチパネルとして所定の領域にその機能を割り付けて、タップされた位置によりどの機能が選択されたかを判定させてもよい。
【００２５】
タッチパネル式のキーである英和キー１１ｊは、英和辞書としての機能を発揮させるキーである。例えば、表示手段１３に表示されている英文の所望の英単語をスタイラスペンなどの入力手段１１で指定し、さらに英和キー１１ｊをスタイラスペンでタップすると、その指定された英単語の意味などが日本語で表示手段１３に表示される。
【００２６】
ＣＰＵ１２は、本語学学習用電子機器の動作を制御するものである。入力手段１１によって入力された情報は、ＲＡＭ１６に一時記憶され、ＣＰＵ１２で解釈されて、その解釈された命令に応じた動作を本語学学習用電子機器が実行する。そして、ＣＰＵ１２は、本発明における演算手段、選択手段、時間積算手段、判定手段として機能するものである。
【００２７】
表示手段１３は、例えば液晶表示装置で構成され、少なくとも文字を表示することができる。上記のようにアイコンも表示でき、静止画、動画なども表示できるものとしてもよい。また、表示手段１３は、白黒の階調表示をするものとしてもよく、カラー表示できるものとしてもよい。図２における表示手段１３の表示内容は一例である。
【００２８】
通信手段１４は、インターネットなどの通信網を介して通信するものである。ＲＯＭ１５は、本語学学習用電子機器の機能動作を規定するプログラム及びデータなどを記憶している。ＲＡＭ１６は、入力手段１１又は通信手段１４での入力データなどを一時的に記憶する。
【００２９】
辞書データベース（単語記憶手段）１７は、例えば英和辞典、和英辞典などの内容について、文字列データと音声データとを一組のデータとして記憶している。すなわち、辞書データベース１７は、複数の単語又は文章のそれぞれについて複数の言語で記憶している単語記憶手段をなすものである。また、辞書データベース１７の後述する単語帳には、単語または文章等の文字情報の文字列データと、その文字情報の音声データと、その文字情報に対応する音声再生時間のデータと、その文字情報及び音声データの再生状態を制御するための制御データを一組のデータとして記憶する記憶手段としても機能するものである。この制御データは、音量、再生スピード、表示部のフォント、ポイント数等を制御するためのものであり、利用者によって任意にその内容が単語帳に登録される。辞書データベース１７は、例えばメモリカードなどの着脱自由な記憶手段で構成してもよく、その記憶内容を通信手段１４を介してダウンロードするもの、又は更新するものとしてもよい。
音声出力手段１８は、英文等を音声として出力するものであり、スピーカやイヤホンが用いられる。
【００３０】
図3は、辞書データベース１７のデータ構造の一例を示す図である。図3に示すように、辞書データベース１７には、表示手段１３に表示される文字列のデータ（文字列データ）と、その文字列についての音声出力用のデータ（音声データ）とが格納されている。
【００３１】
ここで、文字列データは、単語ごとに分けられており、また、各単語のデータは、その単語をなす複数の文字データで構成されている。１つの文章は、辞書データベース１７のメモリアドレスにおいて、その文をなす単語の並びに沿って、かつ単語をなすスペルの並びに沿って直列にアドレス付けされている。
【００３２】
また、音声データは、単語ごとに分けられた発音データから構成されており、各発音データは、対応する単語の先頭アドレスに対応するアドレスである対応文字列先頭アドレスａ１，ａ２、ａ３、ａ４、ａ５・・・に記憶されている。このようなデータ構造により、音声出力している文字情報を表示手段１３において表示することができ、即ち、表示手段１３に表示されている文字情報を音声出力することができる。また、単語や文章のアドレスを利用してデータサイズを知ることができ、音声再生時間を計算することも可能である。
【００３３】
次に、図４〜６を参照して、本実施形態に係る語学学習用電子機器の動作（学習用文章リスト作成方法）を説明する。概略的には、本電子機器の動作は、通常のリスニング学習中に単語帳を作成する処理と、単語帳に登録されたデータを選択することにより、学習用文章リストを作成する処理とを含む。以下、各処理を順に説明する。
【００３４】
先ず、図４のフローに沿って、本語学学習用電子機器の単語帳の作成処理を説明する。
ＣＰＵ１２は、リスニング学習において、上述の図３に示す文字列データを用いて表示手段１３に単語や文章などの文字情報を表示させると共に、同図に示す音声データを用いて音声出力手段１８に上記文字情報の音声再生処理を行って発音させる。利用者は、この発音された文字情報を聴き取ることにより、リスニング学習を行う。
【００３５】
上述の文字情報の表示及び音声再生処理と並行して、ＣＰＵ１２は、書き込みキー１１ｇの入力を待つ。書き込みキー１１ｇが押されると（Ｓ１；Ｙｅｓ）、ＣＰＵ１２は、書き込みキー１１ｇの操作のタイミングで指定される単語または文章の音声再生時間を計算する（Ｓ２）。そして、この単語または文章の文字列データと、その音声データと、それに対応する音声の再生時間情報とを辞書データベース１７の単語帳に登録（記録）する（Ｓ３）。
【００３６】
ここで、書き込みキー１１ｇの操作のタイミングが単語または文章の音声再生処理中のタイミング（発音中の期間）である場合は、その処理中の単語または文章が指定される。この場合、その単語または文章の音声再生処理の終了を待って単語または文章の内容を確定する。また、書き込みキー１１ｇの操作のタイミングが単語または文章の音声再生処理後のタイミング（単語間の期間、または文章間の期間）である場合は、その操作のタイミングの直前に音声再生処理が終了した単語または文章データが指定される。
【００３７】
上記単語帳に登録される音声再生時間は、単語や文章のアドレスより計算されるデータサイズと、再生速度（データレート）とから計算処理によって求められる。この場合、データレートと、計算処理により求められた音声再生時間を単語帳に記憶する。また、標準のデータレートで再生した場合の標準音声再生時間を単語帳に記憶しておき、学習プログラムを組むための後述の学習用文章リストの編集処理において、標準のデータレートに対する再生を希望するデータレートの倍率を計算し、その倍率を標準音声再生時間に掛け合わせて音声再生時間を求めることもできる。
【００３８】
上述の手法とは別に、カウンタを用いて音声再生時間をカウントしても良い。
図５のフローに沿って、カウンタを用いた場合の単語帳の作成処理を説明する。カウンタを用いる場合、ＣＰＵ１２は、音声再生開始時に単語あるいは文章の先頭でカウンタを０にリセットし（S１１）、その後カウントを開始させる（Ｓ１２）。その後、ＣＰＵ１２は、書き込みキー１１ｇの操作があったときに（Ｓ１３）、当該入力があったことをメモリに一時的に記憶しておき、再生中の音声データが終了したタイミングで（Ｓ１４）、そのカウンタ値と、単語または文章の文字列データと、その音声データとを得て単語帳に登録する（Ｓ１５）。
なお、書き込みキー１１ｇがｎ回押された場合、ｎ回前に再生された文章の再生時間等を読み出し、記録することも可能である。この場合、過去に再生された文章のカウンタ値等をリングバッファに所定の回数分記録しておき、後で読み出しできるようにする。
【００３９】
単語帳には、上述の図４、図５のフローで取得した音声再生時間に加え、再生していたスピード（データレート）や音量、表示部のフォント、ポイント数等の制御データも同時に登録される。従って、次回再生時にこれらの制御データ読み込み、単語帳への登録時と同じ条件で音声再生を行うことが可能である。
【００４０】
なお、音声データそのものを単語帳に登録する代わりに、音声データの所在を表すアドレスポインタを単語帳に登録してもよい。この場合、アドレスポインタのみの登録であるため、音声データそのものを登録する場合よりも使用するメモリ容量を少なくできるという利点がある。
【００４１】
次に、図６のフローに沿って、本実施形態に係る語学学習用電子機器の学習用文章リストの編集処理を説明する。
この編集処理では、上述の単語帳作成動作で単語帳に登録した単語または文章データと、各単語または文章の音声データと、それぞれに対応する音声再生時間データと、制御データとを一組として、単語帳に登録された複数組のデータ中から、利用者が希望する任意の組を複数個選択して学習用文章リストを編集する。
【００４２】
具体的には、まず、利用者が編集キー１１ｈを押すと編集処理モードになり、ＣＰＵ１２は、上述の単語帳作成処理で登録されたデータを辞書データベース１７の単語帳から読み出し、履歴として表示装置１３に一覧表示する。表示装置１３には、単語または文章と音声再生時間データとが各組毎に複数表示される（Ｓ２１）。
次に、利用者は、表示装置１３に表示されている履歴の一覧中からリスニング学習を希望する単語または文章を含む組を選択する（Ｓ２２）。この操作により、リスニング学習に実際に使用される単語や文章が学習用文章リストに登録される。
【００４３】
その後、ＣＰＵ１２は、学習用文章リストに登録された各組の単語または文章の音声再生時間を積算し、その積算時間を表示手段１３に表示させる（Ｓ２３）。この積算時間は各組の単語または文章の実際の再生時間（カウンタ値）の積算、またはデータ量から計算により求めた再生時間と、データレートから求めた再生時間の積算でもよい。
さらに、ＣＰＵ１２は、ステップＳ１３で積算された時間が、利用者があらかじめ設定した制限時間以下であるか判定する。ただし、制限時間を設定せずに、利用者が各自で積算時間を見てさらに追加するか否か判断しても良い。積算時間が上記制限時間以下の場合、または利用者が文章の追加を希望する場合は、ステップＳ１２に戻り（Ｓ２４；Ｙｅｓ）、再度単語または文章を選択して学習用文章リストに追加していく。それ以外の場合は、学習用文章リスト編集処理を終了する（Ｓ２４；Ｎｏ）。
【００４４】
このように、利用者が学習用文章リストを作成する過程で、音声再生時間の積算値が計算されて表示される。利用者は、この積算値を参照することで、リスニング学習時間が制限時間内に収まるように、学習用文章リストに登録する単語や文章の数を調整する。従って、通勤時間などの制約された時間内で学習用文章リストの全体についてリスニング学習を行うことが可能となり、計画的で効率の良いリスニング学習を行うことが可能になる。
【００４５】
なお、上記説明では書き込み機能と学習用文章リスト編集機能の開始手段は、書き込みキー１１ｇ、編集キー１１ｈによる外部入力としたが、必ずしもキーの入力に限定されるものではなく、表示手段１３の任意の場所がタップされた場合に同じ機能を発揮させることも可能であり、入力手段からの所定の入力により当該機能を実現可能とすることができる。
【００４６】
以上、本発明の実施形態を詳述してきたが、具体的な構成は本実施形態に限られるものではなく、本発明の要旨を逸脱しない範囲の設計変更等も含まれる。
例えば、上記実施形態では、英語学習用の装置として本発明を説明したが、本発明はこれに限定されるものではなく、フランス語、ドイツ語、ロシア語などの各種言語の学習用装置に本発明を適用することができる。また、本発明は、言語の学習用のみならず、各種の学習に適用でき、例えば、数学、理科、社会、化学、法律など各種分野の学習に応用することができる。
【００４７】
なお、上述の説明では、語学学習用電子機器と学習用文章リスト作成方法として説明したが、この学習用文章リスト作成方法の各ステップをプログラムとして実現してもよい。例えば、本願発明は、コンピュータに、下記手順を実行させるためのプログラムとして表現することができる。すなわち文字情報を表示手段に表示する第一手順と、前記表示手段に表示されている前記文字情報について音声出力手段に音声再生させて出力する第二手順と、前記所定の入力情報が入力された場合に、前記音声出力手段による前記文字情報の音声再生時間を前記演算手段に計算させる第三手順と、前記演算手段により計算された文字情報の音声再生時間と該文字情報と該文字情報の音声データとを一組のデータとして記憶手段に記録する第四手順と、前記記憶手段に記憶された各組のデータを選択手段に選択させる第五手順と、前記選択手段により選択された各組のデータに含まれる前記音声再生時間を時間積算手段に積算させる第六手順とを実行させるためのプログラムとして表現できる。
【産業上の利用可能性】
【００４８】
本発明は、語学学習用、特にリスニング学習用の電子機器に用いて好適である。
【図面の簡単な説明】
【００４９】
【図１】本発明の実施形態に係る語学学習用電子機器のブロック図である。
【図２】同上の語学学習用電子機器の外観構成を示す平面図である。
【図３】辞書データベースにおけるデータ構造の一例を示す図である。
【図４】同上の語学学習用電子機器のデータサイズとデータレートにより計算した音声再生時間を用いた単語帳の作成処理を示すフローチャートである。
【図５】同上の語学学習用電子機器のカウンタにより計算した音声再生時間を用いた単語帳の作成処理を示すフローチャートである。
【図６】同上の語学学習用電子機器の学習用文章リストの編集処理を示すフローチャートである。
【符号の説明】
【００５０】
１１  入力手段
１１ａ  切り替えキー
１１ｂ  前移動キー
１１ｃ  後移動キー
１１ｄ  戻りキー
１１ｅ  位置指定キー
１１ｆ  音声再生キー
１１ｇ  書き込みキー
１１ｈ  編集キー
１１ｊ  英和キー
１２  ＣＰＵ
１３  表示手段
１４  通信手段
１５  ＲＯＭ
１６  ＲＡＭ
１７  辞書データベース
１８  音声出力手段
【図１】
2007219219.tif 000003
【図２】
2007219219.tif 000004
【図３】
2007219219.tif 000005
【図４】
2007219219.tif 000006
【図５】
2007219219.tif 000007
【図６】
2007219219.tif 000008